(57)【特許請求の範囲】
【請求項１】
ＷＬＡＮアクセスシステムにより実行されるパケット交換ネットワークへのアクセス方法であって：
無線ローカルエリアネットワークＷＬＡＮに接続されたユーザ装置により送信された又はホーム加入者サーバＨＳＳ／認証、許可、課金ＡＡＡより送信された表示情報を受信するステップであって、前記表示情報は前記ユーザ装置がパケット交換ＰＳネットワークにアクセスするための情報を提供することができるかどうかを示すために使用される情報であって、かつ少なくとも前記ユーザ装置のＡＰＮ通知能力及びハンドオフ表示通知能力を含む情報である、受信するステップ；及び
前記ユーザ装置が前記ＷＬＡＮを使用することによりＰＳネットワークにアクセスできるようにするために、前記表示情報に従って、認証に成功した後又は前記ユーザ装置により送信されたレイヤ３メッセージを受信した後に、パケットデータネットワークＰＤＮ接続を設定するかどうかを決定するステップ；
を備える、方法。
【請求項２】
前記表示情報に従って、認証に成功した後又は前記ユーザ装置により送信されたレイヤ３メッセージを受信した後に、パケットデータネットワークＰＤＮ接続を設定するどうかを決定するステップは：
前記表示情報がパケットネットワークにアクセスするための情報を前記ユーザ装置が提供可能であることを示す場合に、前記ユーザ装置により送信される前記レイヤ３メッセージを受信した後、かつ前記レイヤ３メッセージ内で送信されるアクセスポイント名ＡＰＮに従って、前記ＰＤＮ接続を決定するステップ；及び／又は
前記表示情報がＰＳネットワークにアクセスするための情報を前記ユーザ装置が提供できないことを示す場合に、前記ＰＤＮ接続を設定するために、前記認証に成功した後にデフォルトのＡＰＮを選択するかどうか、又は前記ＰＤＮ接続を設定するために、前記ユーザ装置により送信された前記レイヤ３メッセージを受信した後にデフォルトのＡＰＮを選択するかどうか、を決定するステップ；
を含む、請求項１に記載の方法。
【請求項３】
前記無線ローカルエリアネットワークＷＬＡＮに接続されたユーザ装置又はＨＳＳ／ＡＡＡによって送信された表示情報を受信するステップは：
前記ＨＳＳ／ＡＡＡにより送信されたアクセス認証及び許可回答メッセージを受信するステップであって、前記アクセス認証及び許可回答メッセージは、前記表示情報を含む、ステップ；又は
前記ユーザ装置により送信される拡張可能認証プロトコル識別応答メッセージ又は８０２．１１ｕメッセージを受信するステップであって、前記拡張可能認証プロトコル識別応答メッセージ又は前記８０２．１１ｕメッセージは、前記表示情報を含む、ステップ；
を含む、請求項１から２のいずれか１項に記載の方法。
【請求項４】
前記ＷＬＡＮに接続されたユーザ装置又はＨＳＳ／ＡＡＡによって送信された表示情報を受信するステップは：
前記ユーザ装置により送信される認証応答メッセージを受信するステップであって、前記表示情報は、前記拡張可能認証プロトコル識別応答メッセージの中のネットワークアクセス識別子ＮＡＩフィールドの中において送信される、ステップ；
を含む、請求項３に記載の方法。
【請求項５】
ユーザ装置により実行される、パケット交換ネットワークへのアクセス方法であって：
表示情報を決定するステップであって、前記表示情報は前記ユーザ装置がパケット交換ＰＳネットワークにアクセスするための情報を提供することが可能かどうかを示すために用いられる情報であって、かつ少なくとも前記ユーザ装置のＡＰＮ通知能力及びハンドオフ表示通知能力を含む情報である、決定するステップ；及び
前記ＷＬＡＮアクセスシステムが前記表示情報に従ってパケットデータネットワークＰＤＮ接続を設定できるようにするために、前記表示情報を無線ローカルエリアネットワークＷＬＡＮアクセスシステムに送信するステップ；
を備える、方法。
【請求項６】
前記方法は、さらに、
前記ＷＬＡＮアクセスシステムにより送信される認証要求メッセージを受信するステップ；を含み、
前記表示情報を無線ローカルエリアネットワークＷＬＡＮアクセスシステムに送信するステップは：
前記認証要求メッセージに従って、認証応答メッセージを前記ＷＬＡＮアクセスシステムに送信するステップであって、前記認証応答メッセージは、前記表示情報を含む、ステップ；
を含む、請求項５に記載の方法。
【請求項７】
前記表示情報を無線ローカルエリアネットワークＷＬＡＮアクセスシステムに送信するステップは：
拡張可能認証プロトコル識別応答メッセージ又は８０２．１１ｕメッセージを前記ＷＬＡＮアクセスシステムに送信するステップであって、前記拡張可能認証プロトコル識別応答メッセージ又は前記８０２．１１ｕメッセージは、前記表示情報を含む、ステップ；又は
前記ＷＬＡＮアクセスシステムに拡張可能認証プロトコル識別応答メッセージを送信するステップであって、前記表示情報は、前記拡張可能認証プロトコル識別応答メッセージの中のネットワークアクセス識別子ＮＡＩフィールドの中において送信される、ステップ；
を含む、請求項６に記載の方法。
【請求項８】
ＷＬＡＮアクセスシステムであって：
無線ローカルエリアネットワークＷＬＡＮに接続されたユーザ装置により送信された又ホーム加入者サーバＨＳＳ／認証、許可、課金ＡＡＡにより送信された表示情報を受信するように構成される受信モジュールであって、前記表示情報は前記ユーザ装置がパケット交換ＰＳネットワークにアクセスするための情報を提供することができるかどうかを示すために使用される情報であって、かつ少なくとも前記ユーザ装置のＡＰＮ通知能力及びハンドオフ表示通知能力を含む情報である、受信モジュール；及び
前記ユーザ装置が前記ＷＬＡＮを使用することによりＰＳネットワークにアクセスできるようにするために、前記受信モジュールにより受信された前記表示情報に従って、認証に成功した後又は前記ユーザ装置により送信されたレイヤ３メッセージを受信した後に、パケットデータネットワークＰＤＮ接続の設定を行うかどうかを決定するように構成される決定モジュール；
を備える、ＷＬＡＮアクセスシステム。
【請求項９】
前記決定モジュールは：
前記表示情報がパケットネットワークにアクセスするための情報を前記ユーザ装置が提供可能であることを示す場合に、前記ユーザ装置により送信される前記レイヤ３メッセージを受信した後、かつ前記レイヤ３メッセージ内で送信されるアクセスポイント名ＡＰＮに従って、前記ＰＤＮ接続を決定するように構成される第１決定部；及び／又は
前記表示情報がＰＳネットワークにアクセスするための情報を前記ユーザ装置が提供できないことを示す場合に、前記ＰＤＮ接続を設定するために、前記認証に成功した後にデフォルトのＡＰＮを選択するかどうか、又は前記ＰＤＮ接続を設定するために、前記ユーザ装置により送信された前記レイヤ３メッセージを受信した後にデフォルトのＡＰＮを選択するかどうか、を決定するように構成される第２決定部；
を含む、請求項８に記載のＷＬＡＮアクセスシステム。
【請求項１０】
前記受信モジュールは：
前記ＨＳＳ／ＡＡＡにより送信されたアクセス認証及び許可回答メッセージを受信するように構成される第１受信部であって、前記アクセス認証及び許可回答メッセージは、前記表示情報を含む、第１受信部；又は
前記ユーザ装置により送信される拡張可能認証プロトコル識別応答メッセージ又は８０２．１１ｕメッセージを受信するように構成される第２受信部であって、前記拡張可能認証プロトコル識別応答メッセージ又は前記８０２．１１ｕメッセージは、前記表示情報を含む、第２受信部；
を含む、請求項８から９のいずれか１項に記載のＷＬＡＮアクセスシステム。
【請求項１１】
前記第２受信部は、さらに：前記ユーザ装置により送信される認証応答メッセージを受信するように構成され、前記表示情報は、前記拡張可能認証プロトコル識別応答メッセージの中のネットワークアクセス識別子ＮＡＩフィールドの中において送信される、
請求項１０に記載のＷＬＡＮアクセスシステム。
【請求項１２】
ユーザ装置であって：
表示情報を決定するように構成される決定モジュールであって、前記表示情報は前記ユーザ装置がパケット交換ＰＳネットワークにアクセスするための情報を提供することが可能かどうかを示すために用いられる情報であって、かつ少なくとも前記ユーザ装置のＡＰＮ通知能力及びハンドオフ表示通知能力を含む情報である、決定モジュール；及び
前記ＷＬＡＮアクセスシステムが前記表示情報に従ってパケットデータネットワークＰＤＮ接続を設定できるようにするために、前記決定モジュールにより決定された前記表示情報を無線ローカルエリアネットワークＷＬＡＮアクセスシステムに送信するように構成される送信モジュール；
を備える、ユーザ装置。
【請求項１３】
前記送信モジュールは：
受信モジュールにより受信される認証要求情報に従って認証応答メッセージを前記ＷＬＡＮアクセスシステムに送信するように構成される第１送信部であって、前記認証応答メッセージは、前記決定モジュールにより決定された前記表示情報を含む、第１送信部；又は
拡張可能認証プロトコル識別応答メッセージ又は８０２．１１ｕメッセージを前記ＷＬＡＮアクセスシステムに送信するように構成される第２送信部であって、前記拡張可能認証プロトコル識別応答メッセージ又は前記８０２．１１ｕメッセージは、前記表示情報を含む、第２送信部；
を含む、請求項１２に記載のユーザ装置。
【請求項１４】
前記第２送信部は、さらに：
拡張可能認証プロトコル識別応答メッセージを前記ＷＬＡＮアクセスシステムに送信するように構成され、前記表示情報は、前記拡張可能認証プロトコル識別応答メッセージの中のネットワークアクセス識別子ＮＡＩフィールドの中において送信される、
請求項１３に記載のユーザ装置。
【発明の詳細な説明】
【技術分野】
【０００１】
本発明は通信の分野に関連し、そして特に、通信の分野におけるパケット交換ネットワークへのアクセス方法、ＷＬＡＮアクセスシステム及びユーザ装置に関連する。
【背景技術】
【０００２】
複数の通信技術の開発及び進展に伴い、複数の移動通信ネットワークは継続的に進化し、かつ収束している。エボルブドパケットコアネットワーク（Ｅｖｏｌｖｅｄ  Ｐａｃｋｅｔ  Ｃｏｒｅ  Ｎｅｔｗｏｒｋ、「ＥＰＣ」と略す）は、無線ローカルエリアネットワーク（Ｗｉｒｅｌｅｓｓ  Ｌｏｃａｌ  Ａｒｅａ  Ｎｅｔｗｏｒｋ、「ＷＬＡＮ」と略す）のアクセスを可能にする。これがネットワークの進化と収束の傾向である。
【０００３】
現在、ＷＬＡＮがＥＰＣにアクセスするための可能な方法は：ＷＬＡＮアクセスゲートウェイにアクセスポイント名（Ａｃｃｅｓｓ  Ｐｏｉｎｔ  Ｎａｍｅ、「ＡＰＮ」と略す）及びハンドオフ表示等の複数のパラメータを与えない第１種のユーザ装置（Ｕｓｅｒ  Ｅｑｕｉｐｍｅｎｔ、「ＵＥ」と略す）について、ＷＬＡＮアクセスゲートウェイは、デフォルトのＡＰＮを選択し、かつ認証が完了した後、パケットデータネットワーク（Ｐａｃｋｅｔ  Ｄａｔａ  Ｎｅｔｗｏｒｋ、「ＰＤＮ」と略す）への接続の確立処理を行う、というものである。代替的に、ＷＬＡＮがＥＰＣにアクセスするための他の可能な方法は：ＷＬＡＮアクセスゲートウェイにＡＰＮ及びハンドオフ表示等の複数のパラメータを与える第２種のユーザ装置について、ＷＬＡＮアクセスゲートウェイは、これらのパラメータに従ってＡＰＮを選択し、そしてハンドオフを行うかどうかを決定する、というものである。
【０００４】
しかしながら、ＷＬＡＮを使用することによりＰＳネットワークにアクセスしようとするＵＥに対して、ＷＬＡＮアクセスゲートウェイは、ＵＥの種別を区別することができない。従って、前述の２種類のＵＥが共存する場合において、ＷＬＡＮアクセスゲートウェイが処理を実行する場合には、エラーが発生する可能性がある。特に、第１の方法に従ってＷＬＡＮアクセスゲートウェイがＥＰＣへのアクセスを処理する場合、第２種のＵＥは、結果としてアクセスに失敗する可能性がある。
【発明の概要】
【発明が解決しようとする課題】
【０００５】
本発明の複数の実施例は、異なる種別の複数のＵＥがＷＬＡＮを使用することによりＰＳネットワークにアクセスすることを可能とする、パケット交換ネットワークへのアクセス方法、ＷＬＡＮアクセスシステム及びユーザ装置を提供する。
【課題を解決するための手段】
【０００６】
一態様によると、本発明の実施例はパケット交換ネットワークへのアクセス方法を提供する。ここで、当該方法は：無線ローカルエリアネットワークＷＬＡＮに接続されたユーザ装置又はホーム加入者サーバＨＳＳ／認証、許可、課金ＡＡＡによって送信された表示情報を受信するステップであって、前記表示情報は前記ユーザ装置がパケット交換ＰＳネットワークにアクセスするための情報を提供することができるか否かを示すために使用される、受信するステップ；及び前記ユーザ装置が前記ＷＬＡＮを使用することによりＰＳネットワークにアクセスできるようにするために、前記表示情報に従って、認証に成功した後又は前記ユーザ装置により送信されたレイヤ３メッセージを受信した後に、パケットデータネットワークＰＤＮ接続を設定するかどうかを決定するステップ；を備える。
【０００７】
他の態様によると、本発明の実施例は、パケット交換ネットワークへのアクセス方法を提供する。前記方法は：表示情報を決定するステップであって、前記表示情報は前記ユーザ装置がパケット交換ＰＳネットワークにアクセスするための情報を提供することが可能かどうかを示すために用いられる、決定するステップ；及び前記ＷＬＡＮアクセスシステムが前記表示情報に従ってパケットデータネットワークＰＤＮ接続を設定できるようにするために、前記表示情報を無線ローカルエリアネットワークＷＬＡＮアクセスシステムに送信するステップ；を備える。
【０００８】
さらに他の態様によると、本発明の実施例は、ＷＬＡＮアクセスシステムを提供する。前記ＷＬＡＮアクセスシステムは：無線ローカルエリアネットワークＷＬＡＮに接続されたユーザ装置又ホーム加入者サーバＨＳＳ／認証、許可、課金ＡＡＡによって送信された表示情報を受信するように構成される受信モジュールであって、前記表示情報は前記ユーザ装置がパケット交換ＰＳネットワークにアクセスするための情報を提供することができるかどうかを示すために使用される、受信モジュール；及び前記ユーザ装置が前記ＷＬＡＮを使用することによりＰＳネットワークにアクセスできるようにするために、前記受信モジュールにより受信された前記表示情報に従って、認証に成功した後又は前記ユーザ装置により送信されたレイヤ３メッセージを受信した後に、パケットデータネットワークＰＤＮ接続の設定を行うかどうかを決定するように構成される決定モジュール；を備える。
【０００９】
さらに他の態様によると、本発明の実施例は、ユーザ装置を提供する。ここで、前記ユーザ装置は：表示情報を決定するように構成される決定モジュールであって、前記表示情報は前記ユーザ装置がパケット交換ＰＳネットワークにアクセスするための情報を提供することが可能かどうかを示すために用いられる、決定モジュール；及び前記ＷＬＡＮアクセスシステムが前記表示情報に従ってパケットデータネットワークＰＤＮ接続を設定できるようにするために、前記決定モジュールにより決定された前記表示情報を無線ローカルエリアネットワークＷＬＡＮアクセスシステムに送信するように構成される送信モジュール；を備える。
【００１０】
前述の複数の技術的解決手段に基づき、本発明の複数の実施例に従う前記パケット交換ネットワークへのアクセス方法、前記ＷＬＡＮアクセスシステム及び前記ユーザ装置において、前記ＷＬＡＮアクセスシステムが前記表示に従って正しくＰＤＮ接続を設定することができるようにするために、パケット交換ＰＳネットワークにアクセスするための情報をユーザ装置が提供できるかどうかということがＷＬＡＮアクセスシステムに示される。結果として、異なる複数の種別の複数のＵＥはＷＬＡＮを使用することによりＰＳネットワークにアクセスすることができ、これによりユーザの使用感を改善することができる。
【図面の簡単な説明】
【００１１】
本発明の複数の実施例における複数の技術的解決手段をより明確に説明するために、以下において、本発明の複数の実施例を説明するために必要な複数の添付図面が簡単に紹介される。明らかに、以下の説明における複数の添付図面は、本発明の単なるいくつかの実施例を示しており、そして当業者は、創造的努力をすることなく、これらの複数の添付図面から他の複数の図面をさらに導き出すことができる。
【００１２】
【図１】本発明の実施例に従うパケット交換ネットワークへのアクセス方法の概略フローチャートである。
【００１３】
【図２】本発明の実施例に従うＰＤＮ接続の設定を決定するための方法の概略フローチャートである。
【００１４】
【図３】本発明の実施例に従うＰＤＮ接続の設定を決定するための方法の他の概略フローチャートである。
【００１５】
【図４】本発明の他の実施例に従うパケット交換ネットワークへのアクセス方法の概略フローチャートである。
【００１６】
【図５】本発明の他の実施例に従うパケット交換ネットワークへのアクセス方法の他の概略フローチャートである。
【００１７】
【図６】本発明の他の実施例に従うパケット交換ネットワークへのアクセス方法のさらに他の概略フローチャートである。
【００１８】
【図７】本発明の実施例に従うＷＬＡＮアクセスシステムの概略ブロック図である。
【００１９】
【図８】本発明の実施例に従う決定モジュールの概略ブロック図である。
【００２０】
【図９】本発明の実施例に従う決定モジュールの他の概略ブロック図である。
【００２１】
【図１０】本発明の実施例に従う受信モジュールの概略ブロック図である。
【００２２】
【図１１】本発明の実施例に従うユーザ装置の概略ブロック図である。
【００２３】
【図１２】本発明の実施例に従うユーザ装置の他の概略ブロック図である。
【００２４】
【図１３】本発明の実施例に従う送信モジュールの概略ブロック図である。
【発明を実施するための形態】
【００２５】
以下、本発明の複数の実施例における複数の添付図面を参照して、本発明の複数の実施例における複数の技術的解決手段を明確かつ完全に説明する。明らかに、説明される複数の実施例は、本発明の全ての実施例ではなく、一部である。創造的な努力をすることなく、本発明の複数の実施例に基づいて当業者により得られる他の全ての実施例は、本発明の保護範囲に属さなければならない。
【００２６】
本発明の複数の実施例の複数の技術的解決手段は、例えば、汎欧州デジタル移動電話方式（Ｇｌｏｂａｌ  Ｓｙｓｔｅｍ  ｆｏｒ  Ｍｏｂｉｌｅ  ｃｏｍｍｕｎｉｃａｔｉｏｎ、「ＧＳＭ（登録商標）」と略す）、符号分割多重接続（Ｃｏｄｅ  Ｄｉｖｉｓｉｏｎ  Ｍｕｌｔｉｐｌｅ  Ａｃｃｅｓｓ、「ＣＤＭＡ」と略す）システム、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ（登録商標）」と略す）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略す）システム、ロングタームエボルーション（Ｌｏｎｇ  Ｔｅｒｍ  Ｅｖｏｌｕｔｉｏｎ、「ＬＴＥ」と略す）システム、ＬＴＥ周波数分割デュプレックス（Ｆｒｅｑｕｅｎｃｙ  Ｄｉｖｉｓｉｏｎ  Ｄｕｐｌｅｘ、「ＦＤＤ」と略す）システム、ＬＴＥ時分割デュプレックス（Ｔｉｍｅ  Ｄｉｖｉｓｉｏｎ  Ｄｕｐｌｅｘ、「ＴＤＤ」と略す）システム、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略す）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略す）通信システム等の各種通信システムに対して適用されてもよい、ということが理解されるべきである。
【００２７】
また、本発明の複数の実施例において、ユーザ装置（Ｕｓｅｒ  Ｅｑｕｉｐｍｅｎｔ、「ＵＥ」と略す）は端末（Ｔｅｒｍｉｎａｌ）、移動局（Ｍｏｂｉｌｅ  Ｓｔａｔｉｏｎ、「ＭＳ」と略す）、携帯端末（Ｍｏｂｉｌｅ  Ｔｅｒｍｉｎａｌ）等と言及されてもよく、かつユーザ装置は、無線アクセスネットワーク（Ｒａｄｉｏ  Ａｃｃｅｓｓ  Ｎｅｔｗｏｒｋ、「ＲＡＮ」と略す）を使用することにより、１つ以上のコアネットワークと通信してもよい、ということが理解されるべきである。例えば、ユーザ装置は、携帯電話（又は「セルラー」電話と言及される）、携帯端末を含むコンピュータ等であってもよく、そして例えば、ユーザ装置は、また、無線アクセスネットワークと音声及び／又はデータを交換する携帯用、ポケットサイズ、ハンドヘルド、コンピュータ組み込み、又は車載のモバイル装置であってもよい。
【００２８】
図１は、本発明の実施例に従うパケット交換ネットワークにアクセスするための方法１００を示す。図１において示されるように、方法１００は以下を含む：
【００２９】
Ｓ１１０．無線ローカルエリアネットワーク（ＷＬＡＮ）に接続されたユーザ装置又はホーム加入者サーバ（Ｈｏｍｅ  Ｓｕｂｓｃｒｉｂｅｒ  Ｓｅｒｖｅｒ、「ＨＳＳ」と略す）／認証、許可、課金（Ａｕｔｈｅｎｔｉｃａｔｉｏｎ  Ａｕｔｈｏｒｉｚａｔｉｏｎ  Ａｃｃｏｕｎｔｉｎｇ、「ＡＡＡ」と略す）によって送信された表示情報を受信するステップであって、前記表示情報は前記ユーザ装置がパケット交換（Ｐａｃｋｅｔ  Ｓｗｉｔｃｈｅｄ、「ＰＳ」と略す）ネットワークにアクセスするための情報を提供することができるか否かを示すために使用される、受信するステップ；及び
【００３０】
Ｓ１２０．前記ユーザ装置が前記ＷＬＡＮを使用することによりＰＳネットワークにアクセスできるようにするために、前記表示情報に従って、認証に成功した後又は前記ユーザ装置により送信されたレイヤ３メッセージを受信した後に、パケットデータネットワークＰＤＮ接続を設定するどうかを決定するステップ；を備える。
【００３１】
ＷＬＡＮを使用することによりＰＳネットワークにアクセスしようとする異なる種別の複数のユーザ装置について、ＷＬＡＮアクセスシステムは、ユーザ装置の表示情報を受信してもよく、ここで、表示情報はユーザ装置がＰＳネットワークにアクセスするための情報を提供することができるか否かを示すために使用される。このように、ＷＬＡＮアクセスシステムは、異なる種別のユーザ装置がＷＬＡＮを使用してＰＳネットワークにアクセスできるようにするために、前記表示情報に従って、認証に成功した後又は前記ユーザ装置により送信されたレイヤ３メッセージを受信した後に、パケットデータネットワークＰＤＮ接続の設定を行うかどうかを決定してもよい。
【００３２】
従って、本発明の実施例に従うパケット交換ネットワークへのアクセス方法において、前記ＷＬＡＮアクセスシステムが前記表示に従って正しくＰＤＮ接続を設定することができるようにするために、パケット交換ＰＳネットワークにアクセスするための情報をユーザ装置が提供できるかどうかがＷＬＡＮアクセスシステムに示される。結果として、異なる種別の複数のＵＥは全て、ＷＬＡＮを使用することによりＰＳネットワークにアクセスすることができ、これによりユーザの使用感が改善される。
【００３３】
本発明の実施例において、方法１００は、ＷＬＡＮアクセスシステムにより実行されてもよく、例えば、ＷＬＡＮアクセスシステムに含まれるＷＬＡＮアクセスゲートウェイにより実行されてもよい。本発明の実施例において、ＷＬＡＮアクセスゲートウェイは、説明のための例として使用されるが、本発明の実施例はこれには限定されない。
【００３４】
本明細書における「システム」という用語及び「ネットワーク」という用語は、通常、ほとんど同じ意味で使用されてもよい、ということが理解されるべきである。明細書における「及び／又は」という用語は、関連付けられた対象の間の対応関係のみを記述し、かつ３つの関係が存在する可能性があることを意味する。例えば、Ａ及び／又はＢは：Ａが単独で存在する、Ａ及びＢの双方が存在する、及びＢが単独で存在することを意味してもよい。また、本明細書における記号「／」は、一般的に、対応付けられた複数の対象が「又は」の関係にあることを意味する。
【００３５】
Ｓ１１０において、ＷＬＡＮアクセスシステムは、ＷＬＡＮに接続したユーザ装置又はＨＳＳ／ＡＡＡにより送信された表示情報を受信し、ここで、表示情報は、ユーザ装置がＰＳネットワークにアクセスするための情報を提供することができるか否かを示すために使用される。
【００３６】
本発明の実施例において、ＵＥがＷＬＡＮネットワークにアクセスし、かつアクセス認証を行う場合、ＨＳＳ／ＡＡＡは、ＷＬＡＮアクセスネットワークに対して、ユーザ装置がＰＳネットワークにアクセスするための情報を提供できるかどうかを示してもよく、例えば、ＨＳＳ／ＡＡＡは、ユーザ装置がネットワークに接続された場合にオペレータにより設定されたパラメータに従って、表示情報をＷＬＡＮアクセスネットワークに送信してもよい。
【００３７】
選択的に、ＷＬＡＮに接続されたユーザ装置により送信される又はＨＳＳ／ＡＡＡにより送信される表示情報を受信することは：ＨＳＳ／ＡＡＡにより送信されるアクセス認証及び許可回答（アクセス認証及び許可回答）メッセージを受信することを含んでもよく、ここで、アクセス認証及び許可回答メッセージは、表示情報を含む。
【００３８】
本発明の実施例において、ＵＥがＷＬＡＮネットワークにアクセスし、かつアクセス認証を実行する場合、ＵＥは、また、ＷＬＡＮアクセスネットワークに対して、ＰＳネットワークにアクセスするための情報をＵＥが提供することができるか否かについて示してもよい。選択的に、ＷＬＡＮ装置に接続されたユーザ装置により送信される又はＨＳＳ／ＡＡＡにより送信される表示情報を受信することは：ユーザ装置により送信される認証応答メッセージを受信することを含み、ここで認証応答メッセージは、表示情報を含み；かつ好適には、ユーザ装置により送信された拡張可能認証プロトコル識別応答（ＥＡＲ−Ｉｄｅｎｔｉｔｙ  Ｒｅｓｐｏｎｓｅ、ここで「ＥＡＲ」は、Ｅｘｔｅｎｓｉｂｌｅ  Ａｕｔｈｅｎｔｉｃａｔｉｏｎ  Ｐｒｏｔｏｃｏｌの略である）メッセージを受信することを含み、ここで拡張可能認証プロトコル識別応答メッセージは、表示情報を含む。
【００３９】
選択的に、ＷＬＡＮに接続されたユーザ装置により又はＨＳＳ／ＡＡＡにより送信される表示情報を受信することは：ユーザ装置により送信される拡張可能認証プロトコル識別応答メッセージを受信することを含み、ここで、表示情報は、拡張可能認証プロトコル識別応答メッセージのネットワークアクセス識別子（ネットワークアクセス識別子、「ＮＡＩ」と略す）フィールドの中において送信される。
【００４０】
本発明の実施例において、ＵＥがＷＬＡＮネットワークにアクセスする前に、ＵＥは、
ＰＳネットワークにアクセスするための情報をユーザ装置が提供できるかどうかということをＷＬＡＮアクセスシステムに示してもよい。選択的に、ＷＬＡＮに接続されたユーザ装置により送信された又はＨＳＳ／ＡＡＡにより送信された表示情報を受信することは：ユーザ装置により送信された８０２．１１ｕメッセージを受信することを含んでもよく、ここで、８０２．１１ｕメッセージは、表示情報を含む。
【００４１】
本発明の実施例において、パケット交換ＰＳネットワークにアクセスするための情報をユーザ装置が提供できるかどうかを示すために、ＨＳＳ／ＡＡＡ又はＵＥは、各種表示情報をＷＬＡＮアクセスシステムに送信してもよい。例えば、表示情報は明示的な方法において示されてもよく、すなわち、表示情報はＰＳネットワークにアクセスするための情報を提供するためのユーザ装置の具体的な能力を直接含んでもよく；そして他の例において、表示情報は黙示的な方法において示されてもよく、すなわち、表示情報はユーザ装置がそのような能力を有するかどうかに対応する関連情報だけを含んでもよい。具体的には、例えば、「１」は、ユーザ装置がＰＳネットワークにアクセスするための情報を提供することができることを示すために使用されてもよく、かつ「０」は、ユーザ装置がＰＳネットワークにアクセスするための情報を提供できないことを示すために使用されてもよい。
【００４２】
本発明の実施例において、ユーザ装置がＡＰＮ及びハンドオフ表示等の複数のパラメータを提供することが可能な場合、それは、ＰＳネットワークにアクセスするための情報をユーザ装置が提供することができることを意味してもよい。従って、ユーザ装置のＡＰＮ通知能力は、また、ＰＳネットワークにアクセスするための情報をユーザ装置が提供することが可能などうかを示すために使用されてもよい。
【００４３】
具体的には、ＵＥがＡＰＮを提供可能な場合、つまり、ユーザ装置のＡＰＮ通知能力がＡＰＮを提供可能な場合、ＰＳネットワークにアクセスするための情報をユーザ装置が提供可能であると決定されてもよい。ＵＥがＡＰＮを提供できない場合、つまり、ユーザ装置のＡＰＮ通知能力がＡＰＮを提供することができない場合、ＰＳネットワークにアクセスするための情報をユーザ装置は提供できないと決定されてもよい。
【００４４】
従って、選択的に、本発明の実施例において、表示情報はユーザ装置のＡＰＮ通知能力を含む。本発明の実施例において、ユーザ装置のＡＰＮ通知能力は、また、明示的な方法又は黙示的な方法において表現されてもよい、ということが理解されるべきである。パケット交換ＰＳネットワークにアクセスするための情報をユーザ装置が提供可能かどうかを示すために、表示情報は、また、他の情報、他のパラメータ又は他の内容を含んでもよいが、本発明の実施例はこれには限定されない、ということもさらに理解されるべきである。
【００４５】
例えば、ＵＥによりＷＬＡＮアクセスシステムに対して送信される拡張可能認証プロトコル識別メッセージに含まれるＮＡＩフィールドの中で、表示情報はＮＡＩフィールドを拡張することにより送信される。例えば、「ｕｓｅｒｎａｍｅ＠ｒｅａｌｍ」というフォーマットの中のＮＡＩ情報について、特殊文字（「！」又は「？」等）がさらに追加されてもよく、例えば、「ｕｓｅｒｎａｍｅ＠ｒｅａｌｍ？ｉｎｄｉｃａｔｉｏｎ」といったように、当該特殊文字の後に表示情報が追加され、ここで「ｉｎｄｉｃａｔｉｏｎ」は表示情報を示す文字列である。
【００４６】
Ｓ１２０において、ユーザ装置がＷＬＡＮを使用することによりＰＳネットワークにアクセスできるようにするために、ＷＬＡＮアクセスシステムは、表示情報に従って、認証に成功した後又は前記ユーザ装置により送信されたレイヤ３メッセージを受信した後に、パケットデータネットワークＰＤＮ接続を設定するどうかを決定する。
【００４７】
本発明の実施例において、パケットネットワークにアクセスするための情報をユーザ装置が提供可能であることを表示情報が示す場合、ＷＬＡＮアクセスシステムは、ユーザ装置により送信されるレイヤ３メッセージを受信した後、ＰＤＮ接続を設定することを決定し；逆に、ＰＳネットワークにアクセスするための情報をユーザ装置が提供できないことを表示情報が示す、又は表示情報が受信されない、又は表示情報が空の場合、ＷＬＡＮアクセスシステムは、レイヤ２メッセージが受信された後又はレイヤ３メッセージが受信された後に、ＰＤＮ接続の設定を決定する。レイヤ３メッセージにおいて、ＵＥは、起動されるＡＰＮ及び／又はハンドオフ表示を提供してもよい。ＵＥがＡＰＮを提供する場合、ＷＬＡＮアクセスシステムは、ＰＤＮ接続を設定するために、ＡＰＮを選択してもよい。
【００４８】
選択的に、図２に示すように、認証に成功した後又は前記ユーザ装置により送信されたレイヤ３メッセージを受信した後に、表示情報に従ってパケットデータネットワークＰＤＮ接続の設定を行うかどうかを決定することは、以下を含む：
【００４９】
Ｓ１２１．ＰＳネットワークにアクセスするための情報を前記ユーザ装置が提供できないことを前記表示情報が示す場合に、前記ユーザ装置により送信されたレイヤ３メッセージが受信された後、かつ前記レイヤ３メッセージ内で送信されるアクセスポイント名ＡＰＮに従って、前記ＰＤＮ接続の設定を決定すること；及び／又は
【００５０】
Ｓ１２２．ＰＳネットワークにアクセスするための情報を前記ユーザ装置が提供できないことを前記表示情報が示す場合に、前記ＰＤＮ接続を設定するために、前記認証が成功した後にデフォルトのＡＰＮを選択するかどうかを決定すること、又はＰＤＮ接続を設定するために、前記ユーザ装置により送信された前記レイヤ３メッセージが受信された後にデフォルトのＡＰＮを選択することを決定すること。
【００５１】
もちろん、ＷＬＡＮアクセスシステムが表示情報を受信しない場合又は表示情報が空の場合、ＷＬＡＮアクセスシステムは、また、ユーザ装置がＰＳネットワークにアクセスするための情報を提供できないと決定してもよい。従って、ＰＤＮ接続を設定するために、認証が成功した後にデフォルトのＡＰＮを選択するかどうか、又はＰＤＮ接続を設定するために、ユーザ装置により送信されたレイヤ３のメッセージを受信した後にデフォルトのＡＰＮを選択するかどうか、を決定してもよいが、本発明の実施例はそれに限定されない。
【００５２】
選択的に、レイヤ３（Ｌａｙｅｒ３）のメッセージは、Ｄｙｎａｍｉｃ  Ｈｏｓｔ  Ｃｏｎｆｉｇｕｒａｔｉｏｎ  Ｐｒｏｔｏｃｏｌ（Ｄｙｎａｍｉｃ  Ｈｏｓｔ  Ｃｏｎｆｉｇｕｒａｔｉｏｎ  Ｐｒｏｔｏｃｏｌ、「ＤＨＣＰ」と略す）メッセージ又はＲｏｕｔｅｒ  Ｓｏｌｉｃｉｔａｔｉｏｎ（Ｒｏｕｔｅｒ  Ｓｏｌｉｃｉｔａｔｉｏｎ、「ＲＳ」と略す）メッセージを含む。選択的に、レイヤ２（Ｌａｙｅｒ２）メッセージは、認証が完了した後に送信されるメッセージを含む。
【００５３】
本発明の実施例において、ステップＡ及びＢについて、「ＢはＡの後に実行される」ということは、一般に、ステップＡが実行された後に、次にステップＢが実行されることを意味する、ということが理解されるべきである。例えば、「ＰＤＮ接続を設定するために、認証が成功した後に、デフォルトのＡＰＮを選択する」ことは、認証が成功した直後にＰＤＮ接続が設定されることを意味し、レイヤ３のメッセージが受信された後にＰＤＮ接続が設定されることは意味しない。
【００５４】
本発明の実施例において、表示情報がユーザ装置のＡＰＮ通知能力を含む場合、ＷＬＡＮアクセスシステムは、当該ＡＰＮ通知能力に従って、ユーザ装置がＰＳネットワークにアクセスするための情報を提供できるか否かを決定してもよく、そしてその後、ＰＤＮ接続を設定するためのタイミングを決定してもよい；また、ＷＬＡＮアクセスシステムは、当該ＡＰＮ通知能力に従って、ＰＤＮ接続を設定するためのタイミングを直接決定してもよい。以下において、図３を参照して具体的な説明を行う。
【００５５】
選択的に、図３に示すように、表示情報に従って、認証に成功した後又はユーザ装置により送信されたレイヤ３メッセージを受信した後に、パケットデータネットワークＰＤＮ接続を設定するかどうかを決定することは、以下を含む：
【００５６】
Ｓ１２５．ユーザ装置のＡＰＮ通知能力を含む表示情報に従って、ユーザ装置のＡＰＮ通知能力を決定する；
【００５７】
１２６．ユーザ装置のＡＰＮ通知能力がＡＰＮを提供できる場合、ユーザ装置により送信されたレイヤ３メッセージを受信した後、かつ当該レイヤ３メッセージにより送信されるＡＰＮに従って、ＰＤＮ接続の設定を決定する；及び／又は
【００５８】
Ｓ１２７．ユーザ装置のＡＰＮ通知能力がＡＰＮを提供できない場合、ＰＤＮ接続を設定するために、認証が成功した後にデフォルトのＡＰＮを選択するかどうか、又はＰＤＮ接続を設定するために、ユーザ装置により送信されたレイヤ３メッセージが受信された後にデフォルトのＡＰＮを選択するかどうか、決定する。
【００５９】
もちろん、ＷＬＡＮアクセスシステムが表示情報を受信しない場合又は表示情報が空である場合、ＷＬＡＮアクセスシステムは、また、ユーザ装置はＡＰＮを提供できないと決定してもよく、そして従って、ＰＤＮ接続を設定するために、認証が成功した後にデフォルトのＡＰＮを選択するかどうか、又はＰＤＮ接続を設定するために、ユーザ装置により送信されたレイヤ３メッセージが受信された後にデフォルトのＡＰＮを選択するかどうか、を決定してもよいが、本発明の実施例は、それに限定されない。
【００６０】
本発明の実施例における、ＷＬＡＮアクセスにより開始されるＰＤＮ接続の設定のプロセスにおいて、ＰＤＮ接続は、汎用パケット無線サービストンネリングプロトコル（ＧＰＲＳ  Ｔｕｎｎｅｌ  Ｐｒｏｔｏｃｏｌ、「ＧＴＰ］と略す；汎用パケット無線サービス（Ｇｅｎｅｒａｌ  Ｐａｃｋｅｔ  Ｒａｄｉｏ  Ｓｅｒｖｉｃｅ、「ＧＰＲＳ」と略す））に基づいて設定されてもよく、かつプロキシモバイルＩＰ（Ｐｒｏｘｙ  Ｍｏｂｉｌｅ  ＩＰ、「ＰＭＩＰ」と略す）プロトコルに基づいてさらに設定されてもよい。ＧＴＰプロトコルに基づいてＰＤＮ接続が設定される場合、セッション生成要求（Ｃｒｅａｔｅ  Ｓｅｓｓｉｏｎ  Ｒｅｑｕｅｓｔ）メッセージがパケット交換ネットワークゲートウェイ（ＰＤＮ  Ｇａｔｅｗａｙ、「ＰＧＷ」と略す）に送信される；ＰＭＩＰプロトコルに基づきＰＤＮ接続が設定される場合、プロキシバインディング更新（Ｐｒｏｘｙ  Ｂｉｎｄｉｎｇ  Ｕｐｄａｔｅ）メッセージがＰＧＷに送信される。
【００６１】
ＷＬＡＮアクセスシステムにより選択されるＡＰＮは、ＰＧＷに送信され、かつＰＤＮ接続の設定を要求するために使用される要求メッセージ内で送信される。ＵＥがハンドオフ表示を提供する場合、当該要求メッセージは、さらに、ハンドオフ表示を送信してもよい。要求メッセージがハンドオフ表示を含む場合、ハンドオフの前及び後でＩＰアドレスが不変のままとなるように、ＰＧＷは、ＩＰアドレスであって、そのＩＰアドレスはハンドオフの前から端末に割り当てられている、ＩＰアドレス、を端末に割り当ててもよく、これにより、より良いサービスの継続性を確保することができる。
【００６２】
本発明の実施例において、ＷＬＡＮアクセスシステム内の認証用の機能モジュール及びＰＤＮ接続設定用の機能モジュールがＷＬＡＮアクセスシステムの異なる複数のエンティティに別々に配置される場合、認証用の機能モジュールは、ＰＤＮ接続設定用の機能モジュールに表示情報を通知する必要がある、ということが理解されるべきである。
【００６３】
また、前述の複数のプロセスの複数のシーケンス番号は、本発明の各種実施例における複数の実行順序を意味するものではない、ということも理解されるべきである。複数のプロセスの複数の実行順序は、複数の機能及び複数のプロセスの内部論理に従って決定されるべきであり、かつ本発明の複数の実施例の複数の実行処理に対するいかなる限定であるとしても解釈されるべきではない。
【００６４】
従って、本発明の実施例に従うパケット交換ネットワークへのアクセス方法において、前記ＷＬＡＮアクセスシステムが前記表示に従って正しくＰＤＮ接続を設定することができるようにするために、パケット交換ＰＳネットワークにアクセスするための情報をユーザ装置が提供できるかどうかということがＷＬＡＮアクセスシステムに示される。結果として、異なる種別の複数のＵＥはＷＬＡＮを使用することによりＰＳネットワークにアクセスすることができ、これによりユーザの使用感が改善される。
【００６５】
図１から図３を参照すると、上記の内容は、ＷＬＡＮアクセスシステムの観点から、本発明の複数の実施例に従うパケット交換ネットワークアクセス方法を詳細に説明している。図４から図６を参照すると、以下の内容は、ユーザ装置の観点から、本発明の複数の実施例に従うパケット交換ネットワークアクセス方法を詳細に説明している。
【００６６】
図４は、本発明の実施例に従う、パケット交換ネットワークへのアクセス方法２００を示し、ここで、方法２００はユーザ装置ＵＥにより実行されてもよい。図４において示されるように、方法２００は、以下を含む：
【００６７】
Ｓ２１０．表示情報を決定する。ここで、当該表示情報は前記ユーザ装置がパケット交換ＰＳネットワークにアクセスするための情報を提供することが可能かどうかを示すために用いられ；かつ
【００６８】
２２０．前記ＷＬＡＮアクセスシステムが前記表示情報に従ってパケットデータネットワークＰＤＮ接続を設定できるようにするために、前記表示情報を無線ローカルエリアネットワークＷＬＡＮアクセスシステムに送信する。
【００６９】
従って、本発明の実施例に従うパケット交換ネットワークへのアクセス方法において、前記ＷＬＡＮアクセスシステムが前記表示に従って正しくＰＤＮ接続を設定することができるようにするために、パケット交換ＰＳネットワークにアクセスするための情報をユーザ装置が提供できるかどうかということがＷＬＡＮアクセスシステムに示される。結果として、異なる種別の複数のＵＥはＷＬＡＮを使用することによりＰＳネットワークにアクセスすることができ、これによりユーザの使用感を改善することができる。
【００７０】
本発明の実施例において、ＰＳネットワークにアクセスするための情報を提供するためのユーザ装置の能力は明示的な方法により示されてもよい、つまり、表示情報はＰＳネットワークにアクセスするための情報を提供するためのユーザ装置の特定の能力を直接的に含んでもよい；また、ＰＳネットワークにアクセスするための情報を提供するためのユーザ装置の能力は、黙示的な方法により示されてもよい、例えば、表示情報はユーザ装置がその能力を有するかどうかに対応している関連情報だけを含んでもよい。具体的には、例えば、「１」はＰＳネットワークにアクセスするための情報をユーザ装置が提供できることを示すために使用されてもよく、かつ「０」はＰＳネットワークにアクセスするための情報をユーザ装置が提供できないことを示すために使用されてもよい。もちろん、ＰＳネットワークにアクセスするための情報をユーザ装置が提供できるかどうかを示すために、さらに他の内容が使用されてもよい。
【００７１】
選択的に、本発明の実施例において、表示情報はユーザ装置のＡＰＮ通知能力を含み、かつＰＳネットワークにアクセスするための情報をユーザ装置が提供できるかどうかを示す。具体的には、ＵＥがＡＰＮを提供できる場合、つまり、ユーザ装置のＡＰＮ通知能力がＡＰＮを提供できる場合、ユーザ装置はＰＳネットワークにアクセスするための情報を提供できると決定されてもよい；ＵＥがＡＰＮを提供できない場合、つまり、ユーザ装置のＡＰＮ通知能力がＡＰＮを提供することができない場合、又は表示情報が受信されない場合又は表示情報が空の場合、ユーザ装置はＰＳネットワークにアクセスするための情報を提供できないと決定されてもよい。
【００７２】
本発明の実施例において、ユーザ装置のＡＰＮ通知能力は、さらに、明示的な方法又は黙示的な方法により表現されてもよい、ということが理解されるべきである。また、表示情報は、ユーザ装置がパケット交換ＰＳネットワークにアクセスするための情報を提供できるかどうかを示すために、さらに、他の情報、他のパラメータ又は他の内容を含んでもよい、ということも理解されるべきであるが、本発明の実施例はそれには限定されない。
【００７３】
本発明の実施例において、ＵＥがＷＬＡＮネットワークにアクセスし、かつアクセス認証を実行する場合、ＵＥは、ＷＬＡＮアクセスネットワークに対して、ＵＥがＰＳネットワークにアクセスするための情報を提供できるかどうかを示してもよい；ＵＥがＷＬＡＮネットワークにアクセスする前に、ＵＥは、また、ＷＬＡＮアクセスネットワークに対して、ＵＥがＰＳネットワークにアクセスするための情報を提供できるかどうかを示してもよい。以下、図５及び図６を別々に参照して、説明する。
【００７４】
選択的に、図５に示されるように、本発明の実施例に従う方法２００は、さらに、以下を含んでもよい：
【００７５】
Ｓ２３０．ＷＬＡＮアクセスシステムにより送信された認証要求メッセージを受信し；かつ表示情報を無線ローカルエリアネットワークＷＬＡＮアクセスシステムに送信することは、Ｓ２２１及びＳ２２２を含む。
【００７６】
Ｓ２２１．認証要求メッセージに従って、認証応答メッセージをＷＬＡＮアクセスシステムに送信する。ここで、当該認証応答メッセージは、表示情報を含む。
【００７７】
つまり、ＵＥがＷＬＡＮネットワークにアクセスし、かつアクセス認証を行うプロセスにおいて、ＷＬＡＮアクセスシステムが表示情報に従って正しくＰＤＮ接続を設定できるようにするために、ＵＥは、ＷＬＡＮアクセスシステムに対して、ユーザ装置がパケット交換ＰＳネットワークにアクセスするための情報を提供できるかどうかを示す。結果として、異なる種別の複数のＵＥはＷＬＡＮを使用することによりＰＳネットワークにアクセスすることができ、これによりユーザの使用感を改善することができる。
【００７８】
選択的に、本発明の実施例において、図６において示されるように、無線ローカルエリアネットワークＷＬＡＮアクセスシステムに表示情報を送信することは、以下を含む：
【００７９】
Ｓ２２２．ＷＬＡＮアクセスシステムに、拡張可能認証プロトコル識別応答メッセージ又は８０２．１１ｕメッセージを送信する。ここで、拡張可能認証プロトコル識別応答メッセージ又は８０２．１１ｕメッセージは、表示情報を含む。
【００８０】
選択的に、ＵＥは、拡張可能認証プロトコル識別応答メッセージをＷＬＡＮアクセスシステムに送信し、ここで、表示情報は、拡張可能認証プロトコル識別応答メッセージのネットワークアクセス識別子ＮＡＩフィールドの中で送信される。
【００８１】
ＵＥ側の観点から説明される、ＵＥとＷＬＡＮアクセスシステムとの間のやりとり、関連する複数の特徴及び複数の機能等は、ＷＬＡＮアクセスシステム側の観点から説明されるそれらに対応する、ということが理解されるべきである。簡潔にするため、詳細は、本明細書において繰り返して記載されてはいない。
【００８２】
前述の複数のプロセスの複数のシーケンス番号は、本発明の各種実施例における複数の実行順序を意味するものではない、ということが理解されるべきである。複数のプロセスの複数の実行順序は、複数の機能及び複数のプロセスの内部論理に従って決定されるべきであり、かつ本発明の複数の実施例の複数の実行処理に対するいかなる限定であるとしても解釈されるべきではない。
【００８３】
従って、本発明の実施例に従うパケット交換ネットワークへのアクセス方法において、前記ＷＬＡＮアクセスシステムが前記表示に従って正しくＰＤＮ接続を設定することができるようにするために、パケット交換ＰＳネットワークにアクセスするための情報をユーザ装置が提供できるかどうかということがＷＬＡＮアクセスシステムに示される。結果として、異なる種別の複数のＵＥはＷＬＡＮを使用することによりＰＳネットワークにアクセスすることができ、これによりユーザの使用感を改善することができる。
【００８４】
図１から図６を参照して、本発明の複数の実施例に従うパケット交換ネットワークへのアクセス方法が上において詳細に説明されている。図７から図１３を参照して、以下において、本発明の複数の実施例に従うＷＬＡＮアクセスシステム及びユーザ装置を詳細に説明する。
【００８５】
図７は、本発明の実施例に従うＷＬＡＮアクセスシステム５００の概略ブロック図である。図７において示されるように、ＷＬＡＮアクセスシステムは：無線ローカルエリアネットワークＷＬＡＮに接続されたユーザ装置により送信される又はホーム加入者サーバＨＳＳ／認証、許可、課金ＡＡＡにより送信される表示情報を受信するように構成される受信モジュール５１０であって、前記表示情報は前記ユーザ装置がパケット交換ＰＳネットワークにアクセスするための情報を提供できるかどうかを示すために使用される、受信モジュール５１０；及び前記受信モジュール５１０により受信される前記表示情報に従って、認証に成功した後又は前記ユーザ装置により送信されたレイヤ３メッセージを受信した後に、パケットデータネットワークＰＤＮ接続を設定するかどうかを決定するように構成される、決定モジュール５２０、を備える。
【００８６】
従って、本発明の実施例に従うＷＬＡＮアクセスシステムにおいて、表示情報が受信され、ここで当該表示情報は、前記ＷＬＡＮアクセスシステムが前記表示に従って正しくＰＤＮ接続を設定することができるようにするために、パケット交換ＰＳネットワークにアクセスするための情報をユーザ装置が提供できるかどうかということをＷＬＡＮアクセスシステムに示すために使用される。結果として、異なる複数の種別のＵＥはＷＬＡＮを使用することによりＰＳネットワークにアクセスすることができ、これによりユーザの使用感を改善することができる。
【００８７】
選択的に、本発明の実施例において、図８において示されるように、決定モジュール５２０は：前記表示情報がＰＳネットワークにアクセスするための情報を前記ユーザ装置が提供できることを示す場合に、前記ユーザ装置により送信された前記レイヤ３メッセージを受信した後、かつ前記レイヤ３メッセージの中で送信されたアクセスポイント名ＡＰＮに従って、前記ＰＤＮ接続を設定することを決定するする第１決定部５２１；及び／又は前記表示情報がＰＳネットワークにアクセスするための情報を前記ユーザ装置が提供できないことを示す場合に、前記ＰＤＮ接続を設定するために、前記認証に成功した後、デフォルトのＡＰＮを選択するかどうかを決定する、又は前記ＰＤＮ接続を設定するために、前記ユーザ装置により送信された前記レイヤ３メッセージが受信された後、デフォルトのＡＰＮを選択するかどうかを決定するように構成される、第２決定部５２２、を含んでもよい。
【００８８】
選択的に、本発明の実施例において、前記受信モジュール５１０は、さらに、前記ユーザ装置のＡＰＮ通知能力を含む前記表示情報を受信するように構成される。
【００８９】
選択的に、本発明の実施例において、図９において示されるように、前記決定モジュール５２０は：前記ユーザ装置のＡＰＮ通知能力を含む前記表示情報に従って前記ユーザ装置のＡＰＮ通知能力を決定するように構成される第３決定部、前記ユーザ装置の前記ＡＰＮ通知能力がＡＰＮを提供できる場合、前記ユーザ装置により送信された前記レイヤ３メッセージを受信した後、かつ前記レイヤ３メッセージの中で送信された前記ＡＰＮに従って、前記ＰＤＮ接続を設定することを決定するように構成される第４決定部；及び／又は前記ユーザ装置の前記ＡＰＮ通知能力がＡＰＮを提供できない場合、前記ＰＤＮ接続を設定するために、前記認証に成功した後にデフォルトのＡＰＮを選択するかどうか、又は前記ＰＤＮ接続を設定するために、前記ユーザ装置により送信された前記レイヤ３メッセージが受信された後にデフォルトのＡＰＮを選択するかどうか決定するように構成される第５決定部、を含んでもよい。
【００９０】
選択的に、本発明の実施例において、図１０において示されるように、受信モジュール５１０は：前記ＨＳＳ／ＡＡＡにより送信されたアクセス認証及び許可回答メッセージを受信するように構成される第１受信部５１１であって、前記アクセス認証及び許可回答メッセージは、前記表示情報を含む、第１受信部５１１、を含む。
【００９１】
選択的に、本発明の実施例において、図１０において示されるように、前記受信モジュール５１０は：前記ユーザ装置により送信される拡張可能認証プロトコル識別応答メッセージ又は８０２．１１ｕメッセージを受信するように構成される第２受信部５１２であって、前記拡張可能認証プロトコル識別応答メッセージ又は前記８０２．１１ｕメッセージは、前記表示情報を含む、第２受信部５１２を含む。
【００９２】
選択的に、本発明の実施例において、前記第２受信部５１２は、前記ユーザ装置により送信される前記拡張可能認証プロトコル識別応答メッセージを受信するようにされに構成され、前記表示情報は前記拡張可能認証プロトコル識別応答メッセージの中のネットワークアクセス識別子フィールドの中で送信される。
【００９３】
選択的に、本発明の実施例において、ＷＬＡＮアクセスシステム５００は、ＷＬＡＮアクセスゲートウェイを含む。
【００９４】
本発明の実施例において、ＰＳネットワークにアクセスするための情報を提供するためのユーザ装置の能力が明示的な方法により示されてもよい、つまり、表示情報はＰＳネットワークにアクセスするための情報を提供するためのユーザ装置の特定の能力を直接的に含んでもよい；また、ＰＳネットワークにアクセスするための情報を提供するためのユーザ装置の能力は、黙示的な方法により示されてもよい、例えば、表示情報はユーザ装置がその能力を有するかどうかに対応している関連情報だけを含んでもよい。具体的には、例えば、「１」はＰＳネットワークにアクセスするための情報をユーザ装置が提供できることを示すために使用されてもよく、かつ「０」はＰＳネットワークにアクセスするための情報をユーザ装置が提供できないことを示すために使用されてもよい。もちろん、ＰＳネットワークにアクセスするための情報をユーザ装置が提供できるかどうかを示すために、さらに他の内容が使用されてもよい。例えば、ＷＬＡＮアクセスシステムが表示情報を受信しない又は表示情報が空であるという事実により、ユーザ装置はＰＳネットワークにアクセスするための情報を提供できないということが示されてもよい。
【００９５】
選択的に、本発明の実施例において、表示情報はユーザ装置のＡＰＮ通知能力を含み、かつユーザ装置がパケット交換ＰＳネットワークにアクセスするための情報を提供できるかどうかについて示す。具体的には、ＵＥがＡＰＮを提供可能である場合、つまり、ユーザ装置のＡＰＮ通知能力がＡＰＮを提供できる場合、ユーザ装置はＰＳネットワークにアクセスするための情報を提供可能であると決定されてもよい；ＵＥがＡＰＮを提供できない場合、つまりユーザ装置のＡＰＮ通知能力がＡＰＮを提供できない場合、ユーザ装置はＰＳネットワークにアクセスするための情報を提供することができないと判断されてもよい。
【００９６】
本発明の実施例において、ユーザ装置のＡＰＮ通知能力は、また、明示的な方法又は黙示的な方法により表現されてもよい、ということが理解されるべきである。パケット交換ＰＳネットワークにアクセスするための情報をユーザ装置が提供可能かどうかを示すために、表示情報は、また、他の情報、他のパラメータ又は他の内容を含んでもよいが、本発明の実施例はこれには限定されない、ということもさらに理解されるべきである。
【００９７】
本発明の実施例に従うＷＬＡＮアクセスシステム５００は、本発明の複数の実施例の方法におけるＷＬＡＮアクセスシステムに対応してもよく、ＷＬＡＮアクセスシステム５００の前述の及び他の複数の動作及び／又は複数のモジュールの複数の機能は、図１から図３において示される複数の方法の対応する複数の処理を実現するために、別々に使用される。簡潔にするため、詳細は、本明細書において繰り返して記載されてはいない。
【００９８】
従って、本発明の実施例に従うＷＬＡＮアクセスシステムにおいて、前記ＷＬＡＮアクセスシステムが前記表示に従って正しくＰＤＮ接続を設定することができるようにするために、パケット交換ＰＳネットワークにアクセスするための情報をユーザ装置が提供できるかどうかを示すために使用される表示情報が受信される。結果として、異なる複数の種別のＵＥはＷＬＡＮを使用することによりＰＳネットワークにアクセスすることができ、これによりユーザの使用感を改善することができる。
【００９９】
図１１は、本発明の実施例に従うユーザ装置６００の概略ブロック図を示す。図１１において示されるように、ユーザ装置６００は：表示情報を決定するように構成される決定モジュール６１０であって、前記表示情報は前記ユーザ装置がパケット交換ＰＳネットワークにアクセスするための情報を提供できるかどうかを示すために使用される、決定モジュール６１０；及び前記ＷＬＡＮアクセスシステムが前記表示情報に従ってパケットデータネットワークＰＤＮ接続を設定できるように、前記決定モジュール６１０により決定された前記表示情報を送信するように構成される送信モジュール６２０、を備える。
【０１００】
従って、本発明の実施例に従うユーザ装置において、前記ＷＬＡＮアクセスシステムが前記表示に従って正しくＰＤＮ接続を設定することができるようにするために、パケット交換ＰＳネットワークにアクセスするための情報をユーザ装置が提供できるかどうかということがＷＬＡＮアクセスシステムに示される。結果として、異なる複数の種別の複数のＵＥはＷＬＡＮを使用することによりＰＳネットワークにアクセスすることができ、これによりユーザの使用感を改善することができる。
【０１０１】
選択的に、本発明の実施例において、図１２及び図１３において示されるように、ユーザ装置６００は：前記ＷＬＡＮアクセスシステムにより送信された認証要求メッセージを受信するように構成される受信モジュール６３０；をさらに備え、かつ前記送信モジュール６２０は：前記受信モジュール６３０により受信された前記認証要求メッセージに従って、前記ＷＬＡＮアクセスシステムに認証応答メッセージを送信するように構成される第１送信部６２１であって、前記認証応答メッセージは、前記決定モジュール６１０により決定された前記表示情報を含む、第１送信部６２１、を含む。
【０１０２】
選択的に、本発明の実施例において、図１３において示されるように、送信モジュール６２０は：拡張可能認証プロトコル識別応答メッセージ又は８０２．１１ｕメッセージを前記ＷＬＡＮアクセスシステムに送信するように構成される第２送信部６２２であって、前記拡張可能認証プロトコル識別応答メッセージ又は前記８０２．１１ｕメッセージは前記表示情報を含む、第２送信部６２２；を含む。
【０１０３】
選択的に、本発明の実施例において、前記送信部６２２は：前記拡張可能認証プロトコル識別応答メッセージを前記ＷＬＡＮアクセスシステムに送信するように、さらに構成され、前記表示情報は、前記拡張可能認証プロトコル識別応答メッセージの中のネットワークアクセス識別子ＮＡＩフィールド内で送信される。
【０１０４】
選択的に、本発明の実施例において、決定モジュール６１０は前記ユーザ装置のアクセスポイント名ＡＰＮ通知能力を含む前記表示情報を決定するように、さらに構成される。
【０１０５】
本発明の実施例において、ＰＳネットワークにアクセスするための情報を提供するためのユーザ装置の能力が明示的な方法により示されてもよい、つまり、表示情報はＰＳネットワークにアクセスするための情報を提供するためのユーザ装置の特定の能力を直接的に含んでもよい；また、ＰＳネットワークにアクセスするための情報を提供するためのユーザ装置の能力は、黙示的な方法により示されてもよい、例えば、表示情報はユーザ装置がその能力を有するかどうかに対応している関連情報だけを含んでもよい。具体的には、例えば、「１」はＰＳネットワークにアクセスするための情報をユーザ装置が提供できることを示すために使用されてもよく、かつ「０」はＰＳネットワークにアクセスするための情報をユーザ装置が提供できないことを示すために使用されてもよい。もちろん、ＰＳネットワークにアクセスするための情報をユーザ装置が提供できるかどうかを示すために、さらに他の内容が使用されてもよい。
【０１０６】
選択的に、本発明の実施例において、表示情報はユーザ装置のＡＰＮ通知能力を含み、かつユーザ装置がパケット交換ＰＳネットワークにアクセスするための情報を提供できるかどうかについて示す。具体的には、ＵＥがＡＰＮを提供可能である場合、つまり、ユーザ装置のＡＰＮ通知能力がＡＰＮを提供できる場合、ユーザ装置はＰＳネットワークにアクセスするための情報を提供可能であると決定されてもよい；ＵＥがＡＰＮを提供できない場合、つまりユーザ装置のＡＰＮ通知能力がＡＰＮを提供できない場合、又は表示情報が受信されない場合又は表示情報が空である場合、ユーザ装置はＰＳネットワークにアクセスするための情報を提供することができないと判断されてもよい。
【０１０７】
本発明の実施例において、ユーザ装置のＡＰＮ通知能力は、また、明示的な方法又は黙示的な方法により表現されてもよい、ということが理解されるべきである。パケット交換ＰＳネットワークにアクセスするための情報をユーザ装置が提供可能かどうかを示すために、表示情報は、また、他の情報、他のパラメータ又は他の内容を含んでもよいが、本発明の実施例はこれには限定されない、ということもさらに理解されるべきである。
【０１０８】
本発明の実施例に従うユーザ装置６００は、本発明の複数の実施例の方法におけるユーザ装置に対応してもよく、ユーザ装置６００の前述の及び他の複数の動作及び／又は複数のモジュールの複数の機能は、図４から図６において示される複数の方法の対応する複数の処理を実現するために、別々に使用される。簡潔にするため、詳細は、本明細書において繰り返して記載されてはいない。
【０１０９】
従って、本発明の実施例に従うユーザ装置において、前記ＷＬＡＮアクセスシステムが前記表示に従って正しくＰＤＮ接続を設定することができるようにするために、パケット交換ＰＳネットワークにアクセスするための情報をユーザ装置が提供できるかどうかということがＷＬＡＮアクセスシステムに示される。結果として、異なる複数の種別の複数のＵＥはＷＬＡＮを使用することによりＰＳネットワークにアクセスすることができ、これによりユーザの使用感を改善することができる。
【０１１０】
本明細書の中に開示される複数の実施例において説明される複数の例との組み合わせにおいて、複数のユニット及び複数のアルゴリズムステップは、電子ハードウェア又はコンピュータソフトウェア及び電子ハードウェアの組み合わせにより実施されてもよい、ということを当業者は認識することができる。ハードウェアとソフトウェアとの間の互換性を明確に説明するために、各例の複数の構造及び複数のステップは、一般に、複数の機能に従って上述されている。複数の機能がハードウェアにより実行されるか又はソフトウェアにより実行されるかは、複数の技術的解決手段の特定の複数の応用及び設計制約条件に依存する。各特定のアプリケーションについて説明された複数の機能を実施するために、当業者は異なる複数の方法を使用することができるが、そのような実施は本発明の範囲を超えていると見なされてはならない。
【０１１１】
便利かつ簡単な説明を目的として、前述のシステム装置及びユニットの詳細な動作プロセスについて、前述の複数の方法の実施例における対応するプロセスを参照することが可能であり、そして詳細はここでは改めて説明しない、ということが当業者により明確に理解され得る。
【０１１２】
本出願の中で提供されるいくつかの実施例において、開示されたシステム、装置、及び方法は、他の複数の方法で実施されてもよい、ということが理解されるべきである。例えば、説明された装置の実施例は、単なる例示である。例えば、ユニットの分割は単なる論理的機能の分割であり、そして実際の実施において他の分割であってもよい。例えば、複数のユニット又は構成要素を組み合わせてもよく、又は他のシステムに統合してもよく、又はいくつかの機能は省略されてもよく又は実行されなくてもよい。また、表示される又は考察される複数の相互結合又は複数の直接結合又は複数の通信接続は、いくつかのインターフェースを介して実施されてもよい。複数の間接的結合又は複数の装置又は複数のユニットの間の複数の通信接続は、電子的、機械的、又は他の複数の形態で実施されてもよい。
【０１１３】
別々の複数の部分として記載される複数のユニットは、物理的に別々であってもよく又はなくてもよく、かつ複数のユニットとして表示される複数の部分は、複数の物理的ユニットであってもよく又はなくてもよく、１つの位置に配置されてもよく、又は複数のネットワークユニットに分散されてもよい。本発明の複数の実施例の複数の解決手段の複数の目的を達成するための実際の必要に従って、複数のユニットの一部又は全てが選択されてもよい。
【０１１４】
また、本発明の複数の実施例における複数の機能ユニットは、１つの処理ユニットに統合されてもよく、又は複数のユニットのそれぞれは、物理的に単独で存在してもよく、又は２つ以上のユニットが１つのユニットに統合されてもよい。統合されたユニットは、ハードウェアの形態で実施されてもよく、又はソフトウェア機能ユニットの形態で実施されてもよい。
【０１１５】
統合されたユニットがソフトウェア機能ユニットの形態で実施されかつ独立した製品として販売又は使用される場合、統合されたユニットはコンピュータ読み取り可能な記憶媒体の中に記憶されてもよい。そのような理解に基づき、本発明の複数の技術的解決手段は本質的に、又は従来技術に貢献する一部、又は複数の技術的解決手段の全て又は一部は、ソフトウェア製品の形態で実施されてもよい。ソフトウェア製品は記憶媒体の中に記憶され、かつ本発明の複数の実施例において説明される複数の方法の複数のステップの全て又は一部を実行するための、コンピュータ装置（これはパーソナルコンピュータ、サーバ、又はネットワーク装置であってもよい）に命令するためのいくつかの命令を含む。前述の記憶媒体は：ＵＳＢフラッシュドライブ、リムーバブルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスク等の、プログラムコードを記憶することのできる任意の媒体を含む。
【０１１６】
前述の説明は、本発明の単なる複数の特定の実施例にすぎないが、本発明の保護範囲を限定することは意図されていない。本発明において開示される技術的範囲内で当業者により容易に考え出された任意の変更又は置換は、本発明の保護範囲に属さなければならない。従って、本発明の保護範囲は、複数の特許請求項の保護範囲に従わなければならない。
【図１】
0005914750.tif 000002
【図２】
0005914750.tif 000003
【図３】
0005914750.tif 000004
【図４】
0005914750.tif 000005
【図５】
0005914750.tif 000006
【図６】
0005914750.tif 000007
【図７】
0005914750.tif 000008
【図８】
0005914750.tif 000009
【図９】
0005914750.tif 000010
【図１０】
0005914750.tif 000011
【図１１】
0005914750.tif 000012
【図１２】
0005914750.tif 000013
【図１３】
0005914750.tif 000014